(57)【要約】【課題】複数の空間光変調素子を用いて露光を行う露光装置の露光ヘッドにおける各空間光変調素子の配置角度誤差を比較的簡単な方法で精度良く検査することができる露光装置の検査方法及び露光装置を提供する。【解決手段】本発明に係る露光装置の検査方法は、複数の空間光変調素子を用いて露光を行う露光装置の検査方法であって、ステージ１１に検査用の被露光体１２を配置する配置工程と、互いに平行関係にある対向辺３２ａ，３２ａをそれぞれ有する一対の検査用パターン３２−１，３２−２のいずれか一方３２−２を、一の空間光変調素子を用いて露光するとともに、一対の検査用パターンのいずれか他方３２−１を、別の空間光変調素子を用いて露光することを含む露光工程と、一対の検査用パターン３２−１，３２−２の一対の対向辺３２ａ，３２ａの平行度を確認することを含む確認工程とを備える。【選択図】図５
2020160401.tif 000002
【特許請求の範囲】
【請求項１】
複数の空間光変調素子を備える露光ヘッド及びステージの相対位置を変化させて主走査及び副走査を行うことで複数の空間光変調素子を用いて露光を行う露光装置の検査方法であって、
ステージに検査用の被露光体を配置する配置工程と、
互いに平行関係にある対向辺をそれぞれ有する一対の検査用パターンのいずれか一方を、複数の空間光変調素子のうちの一の空間光変調素子を用いて被露光体に露光するとともに、一対の検査用パターンのいずれか他方を、別の空間光変調素子を用いて被露光体に露光することを含む露光工程と、
露光された一対の検査用パターンを可視化する可視化工程と、
一対の検査用パターンの一対の対向辺の平行度を確認することを含む確認工程とを備える
露光装置の検査方法。
【請求項２】
露光工程は、一対の対向辺間の少なくとも一部に隙間が形成されるように一対の対向辺を近接させて一対の検査用パターンを露光することを含む
請求項１に記載の露光装置の検査方法。
【請求項３】
露光工程は、一対の対向辺の近接度合を異ならせて複数の一対の検査用パターンを露光することを含む
請求項２に記載の露光装置の検査方法。
【請求項４】
露光工程は、一対の対向辺間の隙間の一端側及び他端側の少なくとも一方にスケールパターンを露光することを含み、
確認工程は、スケールパターンを用いて読み取った一対の対向辺間の隙間の数値情報に基づき、一対の対向辺間の角度を求めることを含む
請求項２又は請求項３に記載の露光装置の検査方法。
【請求項５】
一の空間光変調素子と別の空間光変調素子は、互いに隣り合う領域に露光を行う関係にある二つの空間光変調素子である
請求項１ないし請求項４のいずれか1項に記載の露光装置の検査方法。
【請求項６】
空間光変調素子は、光源から照射された光を反射して出力するデジタルマイクロミラーデバイス（ＤＭＤ）であり、
一対の検査用パターンは、ＤＭＤの面露光によるものである
請求項１ないし請求項５のいずれか１項に記載の露光装置の検査方法。
【請求項７】
請求項４、又は請求項４に従属する請求項５又は請求項６に記載の検査方法のスケールパターンを露光する露光装置。
【発明の詳細な説明】
【技術分野】
【０００１】
本発明は、複数の空間光変調素子を用いて露光を行う露光装置の露光ヘッドにおける各空間光変調素子の配置角度誤差を検査する露光装置の検査方法及び露光装置に関する。
【背景技術】
【０００２】
近年、デジタルマイクロミラーデバイス（Digital Micromirror Device、ＤＭＤ）を始めとする空間光変調素子（Spatial Light Modulator：ＳＬＭ）は、解像度が高く、微細なパターンの形成が可能であるため、画像形成素子として普及してきており、その一例として、空間光変調素子を露光エンジンに搭載した露光装置がフォトリソグラフィーの分野で既に実用化されている。この種の露光装置は、半導体素子、液晶ディスプレイパネル、プラズマディスプレイパネル等の回路パターンをフォトマスクを用いることなくフォトレジストに直接露光して形成することができるため、マスクレス露光装置と呼ばれる。また、フォトマスクの製造工程において、パターンの焼き付けを露光装置で行うことも行われている。
【０００３】
この種の露光装置は、図１１（ａ）に示す如く、露光エンジンを内蔵した露光ヘッド（ＤＭＤタイプであれば、光源、ＤＭＤ及び光学系で構成される）１０と、露光ヘッド１０からの出力が投射されるステージ１１とを備える。ステージ１１は、互いに直交するｘ方向とｙ方向とに可動なｘｙテーブルであり、ステージ１１上に、表面にフォトレジスト層が積層された被露光材としての基板１２が載置される。
【０００４】
基板１２は、ステージ１１が駆動して、ｙ方向の主走査（スキャン）と、ｘ方向の副走査（ステップ）とを繰り返すことにより、全面が露光され、所定のパターンが形成される。露光ヘッド１０には、空間光変調素子を一つ備えるシングルヘッドタイプがあるほか、処理の高速化及びこれに伴う時間短縮を目的として、空間光変調素子を複数並べたマルチヘッドタイプがある。
【０００５】
複数の空間光変調素子の配置態様は、たとえば特許文献１に記載のとおり、各空間光変調素子をｙ方向と直交するｘ方向に対して平行に配置する態様（各空間光変調素子の画素列方向をｙ方向と直交するｘ方向に一致させて配置する態様）と、たとえば特許文献２に記載のとおり、各空間光変調素子をｙ方向と直交するｘ方向に対して所定角度で傾斜させて配置する態様（各空間光変調素子の画素列方向をｙ方向と直交するｘ方向に対して所定角度で傾斜させて配置する態様）とがある。前者であれば、図１１に示す如く、露光は、ｙ方向に延びる各ストライプ領域において、平行に行われる。後者であれば、図１２に示す如く、露光は、ｙ方向に延びる各ストライプ領域において、斜めに行われる。なお、空間光変調素子を斜めに配置する理由は、ｘ方向に関する解像度を向上させるためである。
【０００６】
いずれの配置態様においても、図１１（ｂ）、図１２（ｂ）及び図１３（ａ）に示す如く、露光に際し、隣り合うストライプ領域の側縁部をオーバーラップさせ、かつ、図１３（ｂ）及び（ｄ）に示す如く、このオーバーラップ部において、側縁に向かうほど照度が減少する照度の線形変化（照度調整）が用いられる（たとえば特許文献３）。これにより、同図（ｃ）及び（ｅ）に示す如く、積算照度（積算露光量）は、全体的に均一になり、均一な露光が行われる。なお、オーバーラップの概念を視覚的に理解しやすくするため、図１１及び図１２において、オーバーラップ量は意図的に大きくして記載している。
【先行技術文献】
【特許文献】
【０００７】
【特許文献１】特開２００７−３９３４号公報
【特許文献２】特開２００６−３０９６６号公報
【特許文献３】特開２０１０−１６４０４号公報
【発明の概要】
【発明が解決しようとする課題】
【０００８】
しかしながら、マルチヘッドタイプにおいて、露光ヘッドの組立精度等の問題により、図１４（ａ）に示す如く、空間光変調素子の配置角度に誤差がある場合（図１４では、右側に配置角度誤差がある）、同図（ｂ）及び（ｄ）に示す如く、オーバーラップ部にずれが生じるため、同図（ｃ）及び（ｅ）に示す如く、積算照度（積算露光量）は、オーバーラップ部で不均一が生じ、この結果、露光像に線幅変動やムラが生じ得る。したがって、高精度な露光像を得るためには、露光装置において空間光変調素子の配置角度誤差がないことを確認することが重要となる。
【０００９】
そこで、本発明は、かかる事情に鑑みてなされたもので、複数の空間光変調素子を用いて露光を行う露光装置の露光ヘッドにおける各空間光変調素子の配置角度誤差を比較的簡単な方法で精度良く検査することができる露光装置の検査方法及び露光装置を提供することを課題とする。
【課題を解決するための手段】
【００１０】
本発明に係る露光装置の検査方法は、
複数の空間光変調素子を備える露光ヘッド及びステージの相対位置を変化させて主走査及び副走査を行うことで複数の空間光変調素子を用いて露光を行う露光装置の検査方法であって、
ステージに検査用の被露光体を配置する配置工程と、
互いに平行関係にある対向辺をそれぞれ有する一対の検査用パターンのいずれか一方を、複数の空間光変調素子のうちの一の空間光変調素子を用いて被露光体に露光するとともに、一対の検査用パターンのいずれか他方を、別の空間光変調素子を用いて被露光体に露光することを含む露光工程と、
露光された一対の検査用パターンを可視化する可視化工程と、
一対の検査用パターンの一対の対向辺の平行度を確認することを含む確認工程とを備える
ものである。
【００１１】
かかる構成によれば、確認工程において一対の検査用パターンの一対の対向辺が平行を示している場合は、一の空間光変調素子と別の空間光変調素子との間に相対的な配置角度誤差はないと判断し、他方、一対の対向辺が平行を示していない場合は、一の空間光変調素子と別の空間光変調素子との間に相対的な配置角度誤差があると判断する。そして、配置角度誤差があるということであれば、その空間光変調素子の配置角度（取付角度）を調整する作業を行うか、この調整作業が困難ということであれば、露光ヘッドを交換し、あるいは、配置角度誤差をソフト的に補正する補正処理を加えて露光を行う。
【００１２】
ここで、本発明に係る露光装置の検査方法の一態様として、
露光工程は、一対の対向辺間の少なくとも一部に隙間が形成されるように一対の対向辺を近接させて一対の検査用パターンを露光することを含む
との構成を採用することができる。
【００１３】
かかる構成によれば、一対の対向辺が平行を示している場合は、一対の対向辺間の隙間は矩形状を呈し、他方、一対の対向辺が平行を示していない場合は、一対の対向辺間の隙間は三角形状又は台形状を呈する。矩形状と三角形状は視覚的に十分に識別可能であるため、一対の対向辺が平行を示しているか否か、すなわち、一の空間光変調素子と別の空間光変調素子との間に相対的な配置角度誤差がないか否かを簡単に判断することができる。
【００１４】
また、本発明に係る露光装置の検査方法の他態様として、
露光工程は、一対の対向辺の近接度合を異ならせて複数の一対の検査用パターンを露光することを含む
との構成を採用することができる。
【００１５】
かかる構成によれば、一対の対向辺の隙間が異なる複数の一対の検査用パターン（一対の対向辺部がオーバーラップして隙間がないものも含み得る）が得られ、この中から、確認しやすいものを選んで確認工程を行えばよい。
【００１６】
また、本発明に係る露光装置の検査方法の別の態様として、
露光工程は、一対の対向辺間の隙間の一端側及び他端側の少なくとも一方に一対のスケールパターンを露光することを含み、
確認工程は、スケールパターンを用いて読み取った一対の対向辺間の隙間の数値情報に基づき、一対の対向辺間の角度を求めることを含む
との構成を採用することができる。
【００１７】
かかる構成によれば、スケールパターンを用いて一対の対向辺間の隙間を定量的に把握することで、空間光変調素子の配置角度誤差を定量的に確認することが可能となる。
【００１８】
また、本発明に係る露光装置の検査方法のさらに別の態様として、
一の空間光変調素子と別の空間光変調素子は、互いに隣り合う領域に露光を行う関係にある二つの空間光変調素子である
との構成を採用することができる。
【００１９】
また、本発明に係る露光装置の検査方法のさらに別の態様として、
空間光変調素子は、光源から照射された光を反射して出力するデジタルマイクロミラーデバイス（ＤＭＤ）であり、
一対の検査用パターンは、ＤＭＤの面露光によるものである
との構成を採用することができる。
【００２０】
また、本発明に係る露光装置は、
上記検査方法のスケールパターンを露光する
ものである。
【発明の効果】
【００２１】
以上の如く、本発明に係る露光装置の検査方法及び露光装置によれば、複数の空間光変調素子を用いて露光を行う露光装置の露光ヘッドにおける各空間光変調素子の配置角度誤差を比較的簡単な方法で精度良く検査することができる。
【図面の簡単な説明】
【００２２】
【図１】図１は、本発明の一実施形態に係る空間光変調素子の配置角度誤差を検査する検査方法の露光工程の説明図である。
【図２】図２は、図１の続きの説明図である。
【図３】図３は、図２の続きの説明図である。
【図４】図４は、同検査方法の確認工程の説明図であって、空間光変調素子の配置角度誤差がない場合の説明図である。
【図５】図５は、同検査方法の確認工程の説明図であって、空間光変調素子の配置角度誤差がある場合の説明図である。
【図６】図６（ａ）は、同検査方法の追加的な露光工程の説明図であり、図６（ｂ）は、その確認工程の説明図であって、空間光変調素子の配置角度誤差がある場合の説明図である。
【図７】図７は、他実施形態に係る検査方法の露光工程の説明図である。
【図８】図８は、同検査方法の確認工程の説明図であって、空間光変調素子の配置角度誤差がある場合の説明図である。
【図９】図９（ａ）は、同検査方法の追加的な露光工程の説明図であり、図９（ｂ）は、その確認工程の説明図であって、空間光変調素子の配置角度誤差がある場合の説明図である。
【図１０】図１０は、別の実施形態に係る検査方法の露光工程の説明図である。
【図１１】図１１は、従来の露光装置の説明図である。
【図１２】図１２は、別の従来の露光装置の説明図である。
【図１３】図１３は、従来のオーバーラップに係る露光処理の説明図であって、空間光変調素子の配置角度誤差がない場合の説明図である。
【図１４】図１４は、同従来のオーバーラップに係る露光処理の説明図であって、空間光変調素子の配置角度誤差がある場合の説明図である。
【発明を実施するための形態】
【００２３】
以下、本発明に係る露光装置の検査方法及び露光装置の一実施形態について、図面を参酌して説明する。なお、本実施形態に係る露光装置の基本構成は、従来の露光装置（図１１及び図１２参照）と同様なので、その説明は割愛する。また、図面において、説明の理解を視覚的に容易にするために、配置角度誤差は、実際の値よりも大きな角度で記載している。
【００２４】
本実施形態に係る露光装置の検査方法は、複数のＤＭＤを備える露光ヘッド１０及びステージ１１の相対位置を変化させて主走査及び副走査を行うことで複数のＤＭＤを用いて露光を行う露光装置の検査方法であって、
ステージ１１に検査用の被露光材１２を配置する配置工程と、
互いに平行関係にある対向辺をそれぞれ有する一対の検査用パターンのいずれか一方を、複数のＤＭＤのうちの一のＤＭＤを用いて被露光材１２に露光するとともに、一対の検査用パターンのいずれか他方を、別のＤＭＤを用いて被露光体１２に露光することを含む露光工程と、
被露光材１２を現像して一対の検査用パターンを可視化する可視化工程と、
一対の検査用パターンの一対の対向辺の平行度を確認することを含む確認工程とを備える。
【００２５】
露光ヘッド１０は、それぞれＤＭＤを内蔵する１から７までの番号が付された露光ヘッドからなるマルチヘッドタイプであり、一列目に番号１，３，５，７の露光ヘッドが間隔をあけて配置され、二列目に番号２，４，６の露光ヘッドが一列目の露光ヘッド間を埋めるように配置される。これにより、番号１と番号２、番号２と番号３、番号３と番号４、番号４と番号５、番号５と番号６、番号６と番号７の各ストライプ領域が隣り合う。検査対象は、隣り合うストライプ領域に露光を行う関係にある二つのＤＭＤである。本例では、番号１と番号２のＤＭＤを用いて説明する。番号２のＤＭＤを「一方のＤＭＤ２」といい、これに関する要素の符号に「−（ハイフン）２」を付し、他方、番号１のＤＭＤを「他方のＤＭＤ１」といい、これに関する要素の符号に「−（ハイフン）１」を付する。
【００２６】
露光工程においては、まず、図１（ａ）に示す如く、適当な主走査ラインの適当な位置で一方のＤＭＤ２を用いて所定の検査用パターンを面露光（ショット露光）する（一方の第１露光２０−２）。次に、図１（ｂ）に示す如く、他方のＤＭＤ１の露光位置がｘ方向において一方の第１露光２０−２の領域の隣となるまで、ステージ１１を＋ｙ方向に移動させ、その位置でステージ１１の動作を停止させて、当該位置で他方のＤＭＤ１を用いて所定の検査用パターンを面露光（ショット露光）する（他方の第１露光２０−１）。これら一方の第１露光２０−２及び他方の第１露光２０−１により、「一対の第１検査用パターン」が露光される。
【００２７】
次に、図２（ａ）に示す如く、一方の第１露光２０−２の領域と適当な間隔をあけて、ステージ１１を＋ｙ方向に移動させ、その位置でステージ１１の動作を停止させて、あるいは、他方の第１露光２０−１を行う位置で、すでに一方の第１露光２０−２の領域と適当な間隔があいているなら、ステージ１１を移動させることなく、当該位置で一方のＤＭＤ２を用いて所定の検査用パターンを面露光（ショット露光）する（一方の第２露光２１−２）。次に、図２（ｂ）に示す如く、他方のＤＭＤ１の露光位置がｘ方向において一方の第２露光２１−２の領域の隣となるまで、ステージ１１を＋ｙ方向に移動させ、その位置でステージ１１の動作を停止させて、当該位置で他方のＤＭＤ１を用いて所定の検査用パターンを面露光（ショット露光）する（他方の第２露光２１−１）。これら一方の第２露光２１−２及び他方の第２露光２１−１により、「一対の第２検査用パターン」が露光される。
【００２８】
そして、同様にして、図３（ａ）に示す如く、「一対の第３検査用パターン」を面露光（ショット露光）し（一方の第３露光２２−２、他方の第３露光２２−１）、さらに、図３（ｂ）に示す如く、「一対の第４検査用パターン」を面露光（ショット露光）する（一方の第４露光２３−２、他方の第４露光２３−１）。なお、本例は、一対の検査用パターンを４回露光したが、露光回数は特に限定されず、３回以下のいずれか又は５回以上のいずれかであってもよい。
【００２９】
図４は、可視化工程において、基板１２を現像して露光像を可視化したものである。図４に示す如く、基板１２上には、第１露光２０−２，２０−１により、第１検査用パターン３０−２及び３０−１からなる一対の第１検査用パターンが形成され、第２露光２１−２，２１−１により、第２検査用パターン３１−２及び３１−１からなる一対の第２検査用パターンが形成され、第３露光２２−２，２２−１により、第３検査用パターン３２−２及び３２−１からなる一対の第３検査用パターンが形成され、第４露光２３−２，２３−１により、第４検査用パターン３３−２及び３３−１からなる一対の第４検査用パターンが形成される。また、一対の第１検査用パターンないし一対の第４検査用パターンは、ｙ方向に間隔をあけてｙ方向に並んで形成される。
【００３０】
また、一対の第１検査用パターン３０−２，３０−１は、各ＤＭＤの全画素をＯＮにして露光したフル画素のパターンであり、対向辺部がオーバーラップしており、一体化している。一対の第２検査用パターン３１−２，３１−１は、各ＤＭＤの対向辺側の数ラインの画素をＯＦＦにしてそれ以外の画素はＯＮにして露光した、第１検査用パターン３０よりｘ方向の幅が小さいパターンであるが、まだ対向辺部がオーバーラップしており、一体化している。一対の第３検査用パターン３２−２，３２−１は、さらに数ラインの画素をＯＦＦにして露光した、第２検査用パターン３１よりｘ方向の幅が小さいパターンであり、オーパーラップが解消されて、隙間が形成されるように一対の対向辺３２ａ，３２ａが近接している。一対の第４検査用パターン３３−２，３３−１は、さらに数ラインの画素をＯＦＦにして露光した、第３検査用パターン３２よりｘ方向の幅が小さいパターンであり、一対の第３検査用パターン３２−２，３２−１よりも隙間が広がっている。このように、第１露光２０ないし第４露光２３により、被露光材１２には、一対の対向辺の近接度合が異なる複数の一対の検査用パターンが形成される。なお、これらの露光においては、検査用パターンの対向辺の像を鮮明にするために、背景技術欄で説明した照度の線形変化は行わない。
【００３１】
ここで、一対の第３検査用パターン３２−２，３２−１の一対の対向辺３２ａ，３２ａ間の隙間及び一対の第４検査用パターン３３−２，３３−１の一対の対向辺３３ａ，３３ａ間の隙間は、矩形状を呈している。このため、一対の対向辺３２ａ，３２ａ及び一対の対向辺３３ａ，３３ａは平行、すなわち、一方のＤＭＤ２と他方のＤＭＤ１との間に相対的な配置角度誤差はないと判断し得る。このような検査を、隣り合うストライプ領域に露光を行う関係にある二つのＤＭＤのすべての組み合わせ、すなわち、番号１と番号２、番号２と番号３、番号３と番号４、番号４と番号５、番号５と番号６、番号６と番号７、そして、番号７と番号１のＤＭＤについて行い、いずれも相対的な配置角度誤差がないということであれば、その露光装置において、ＤＭＤの配置角度は問題ないということになる。
【００３２】
しかし、一部のＤＭＤに配置角度誤差があると、図５に示す如く、一対の第３検査用パターン３２−２，３２−１の一対の対向辺３２ａ，３２ａ及び一対の第４検査用パターン３３−２，３３−１の一対の対向辺３３ａ，３３ａは、角度が付き、これにより、一対の対向辺３２ａ，３２ａ間の隙間及び一対の対向辺３３ａ，３３ａ間の隙間は、三角形状又は台形状を呈することとなる。したがって、本実施形態に係る検査方法によれば、視覚的な確認により、ＤＭＤの配置角度誤差を簡単に発見することができる。
【００３３】
図６（ａ）に示す如く、各一対の検査用パターンの一対の対向辺の両端近傍にいずれかのＤＭＤ又は他のＤＭＤを用いて所定のスケールパターンを面露光（ショット露光）し（露光２４）、図６（ｂ）に示す如く、各スケールパターン３４を用いて、たとえば一対の第３検査用パターン３２−２，３２−１の一対の対向辺３２ａ，３２ａ間の隙間の一端側の隙間量Ｇ１と他端側の隙間量Ｇ２を読み取ることにより、一対の対向辺３２ａ，３２ａ間の角度を求め、ＤＭＤの配置角度誤差を定量的に確認することができる。
【００３４】
なお、スケールパターンは種々のものを採用することができるが、本例では、ライン・アンド・スペースのデザイン、より詳しくは、たとえば、１μｍ幅のラインと１μｍ幅の隙間が繰り返される２μｍピッチのライン・アンド・スペースのデザインからなるスケールパターンが採用される。一対の対向辺間の隙間の計測は、拡大鏡やＣＣＤ撮像装置で撮像した画像を拡大することで行うことができる。
【００３５】
このように、本実施形態に係る露光装置の検査方法によれば、互いに隣り合う領域に露光を行う関係にある二つのＤＭＤを用いて、互いに平行関係にある対向辺をそれぞれ有する一対の検査用パターンの当該一対の対向辺の平行度を確認するという比較的簡単な方法で露光装置の露光ヘッドにおける各ＤＭＤの配置角度誤差を精度良く検査することができることができる。
【００３６】
そして、配置角度誤差があるということであれば、上述の如く、ＤＭＤの配置角度（取付角度）を調整する作業を行うか、この調整作業が困難ということであれば、露光ヘッドを交換し、あるいは、配置角度誤差をソフト的に補正する補正処理を加えて露光を行う。調整方法や補正処理は、公知になっているものを含め、種々のものを実施することができる。
【００３７】
たとえば、生成された配置角度誤差値に基づいて調整を行う場合、一のＤＭＤと別のＤＭＤとに関連付けられた配置角度誤差を記憶媒体等に記述してオフラインで用いてもよいし、あるいは、オンラインで演算手段等に伝達し、これにより配置角度の調整量を正確にフィードバックさせるようにしてもよい。そして、演算手段により算出された調整量で配置角度誤差を含んだＤＭＤの中心座標を回転中心として１軸制御で回転させて調整してもよいし、あるいは、確認工程においてスケールパターンを用いて読み取った際の一対の対向辺間の中心点を回転中心として１軸制御で回転させて調整してもよい。ただし、特にこの手法に限定されるものではなく、たとえば複数軸制御で角度調整を行うようにしてもよい。
【００３８】
また、ソフト的に補正処理する際にも補正量を正確に算出することが可能となる。これにより、一のＤＭＤと別のＤＭＤとが関連付けられた配置角度誤差を含んだＤＭＤ側の対向辺に位置する一部のＤＭＤから露光光が出力されないように個別制御することにより、一対の対向辺が平行になるように疑似的に補正してもよい。係る補正制御は、一のＤＭＤと別のＤＭＤ間の制御だけではなく、Ｘ軸方向及び／又はＹ軸方向の制御としてもよい。このように補正することで、ＤＭＤの配置角度（取付角度）を調整する作業が困難な場合であっても、一のＤＭＤと別のＤＭＤ間で角度誤差を修正された疑似的な露光が可能となる。ただし、特にこの手法に限定されるものではない。
【００３９】
なお、本発明に係る露光装置の検査方法及び露光装置は、上記実施形態に限定されるものではなく、本発明の要旨を逸脱しない範囲で種々の変更が可能である。
【００４０】
たとえば、上記実施形態においては、検査用パターンは、ＤＭＤの画素列配置に対応してｘ方向に横長の矩形状であり、ｘ方向における辺（短辺）を対向辺として検査をするものであった。しかし、本発明はこれに限定されるものではなく、検査用パターンのパターン形状は種々のものを採用することができ、また、対向辺をどのように設定するかも適宜定めることができる。一例として、図７及び図８に示す如く、一対の検査用パターンをｙ方向において対向させ、ｙ方向における辺（長辺）を対向辺として検査をするようにしてもよく、また、このような形態に対し、図９に示す如く、スケールパターン３４を付加して定量的な検査を行うようにしてもよい。
【００４１】
この場合、露光の順序は、一例として、一方のＤＭＤ２を用いて、第１露光２０−２、第２露光２１−２、第３露光２２−２、第４露光２３−２を行った後、あるいは、これらに先立ち、他方のＤＭＤ１を用いて、第１露光２０−１、第２露光２１−１、第３露光２２−１、第４露光２３−１を行う。そして、検査用パターンは、ＤＭＤの対向辺側の画素のラインを段階的に減らしていってｙ方向の幅を段階的に小さくするようにする。
【００４２】
また、複数のＤＭＤの配置態様は、上記実施形態に限定されるものではなく、背景技術欄で説明したものを含むほか、その他の公知のすべての配置態様を採用することができる。一例として、図１０に示す如く、ＤＭＤを横一列に配置する配置態様であってもよい。なお、かかる配置態様の露光ヘッド１０にあっては、隣同士に配置したＤＭＤの並びで露光するのではなく、物理的な配置と異なる並びで被処理材１２を露光する場合がある。一例として、図１０では、番号４のストライプ領域の隣に番号２のストライプ領域が設定される露光方法となっており、この場合、番号４のＤＭＤと番号２のＤＭＤという物理的な配置とは異なる、隣り合うストライプ領域に露光を行う関係にある二つのＤＭＤについて検査を行う。
【００４３】
また、検査対象となる二つのＤＭＤは、隣り合うストライプ領域に露光を行う関係にあるものに限定されるものではない。露光ヘッド１０及びステージ１１の相対位置を任意に変化させることができる構造を利用して、任意の二つのＤＭＤについて検査をすることが可能である。一例として、一つのＤＭＤを基準とし、このＤＭＤと他の各ＤＭＤについて検査をするようにしてもよい。
【００４４】
また、上記実施形態においては、検査用パターンの対向辺は、連続した直線で構成した。しかし、一対の対向辺の平行度を確認することができるものであれば、対向辺の形態は特に限定されない。たとえば、対向辺に対応するＤＭＤの画素の一部をＯＦＦにして断続的な直線で構成するようにしてもよいし、ＤＭＤの画素のライン（ｘ方向又はｙ方向）に対して傾斜する斜めの対向辺を設定するようにしてもよい。また、平行度を確認することができるのであれば、対向辺は直線には限定されない。
【００４５】
また、上記実施形態においては、被露光体として、表面にフォトレジスト層が積層された基板が用いられた。しかし、本発明はこれに限定されず、たとえば、感光材料を用いるようにしてもよい。また、これら被露光材以外に、ＣＣＤイメージセンサ等の撮像素子を用いた撮像デバイスであってもよい。この場合、ＤＭＤから出力される検査用パターンの画像を撮像デバイスで撮像し、この画像（二つの検査用パターンの画像、さらには選択的にスケールパターンの画像）を表示デバイスに表示させる等して、検査を行うことが可能である。
【００４６】
また、上記実施形態においては、一対の検査用パターンの一対の対向辺間の隙間を計測するために、隙間の一端側と他端側のそれぞれに対してスケールパターンを露光した。しかし、本発明はこれに限定されず、いずれか一方にだけスケールパターンを露光するようにしてもよい。たとえば、隙間の一端側及び他端側の一方は交点となっている場合、あるいは隙間の一端側及び他端側の一方を交点となるように検査用パターンを露光した場合、そこの隙間量はゼロなので、スケールパターンは不要となり、反対側の開いたところにだけスケールパターンを設ければ、一対の対向辺間の角度を求めることができる。
【００４７】
また、スケールパターンの露光は、本発明において必須ではない。一対の検査用パターンの一対の対向辺間の隙間を定規等のスケールを用いて読み取るようにしてもよいし、ＣＣＤ撮像装置で撮像した画像を拡大表示して表示画面上で計測するようにしてもよい。
【００４８】
また、上記実施形態においては、空間光変調素子として、反射型の空間光変調素子であって、ＭＥＭＳ（Micro Electro Mechanical Systems）タイプの空間光変調素子であるＤＭＤを用いた露光装置を対象とした。しかし、本発明においては、透過型の空間光変調素子を用いた露光装置であってもよく、また、反射型液晶素子、透過型液晶素子、電気光学効果により透過光を変調する光学素子（ＰＬＺＴ素子）等、ＭＥＭＳタイプ以外の空間光変調素子を用いた露光装置であってもよい。また、ＭＥＭＳタイプであっても、ＤＭＤ以外に、反射回折格子型（ＧＬＶ）、干渉型の空間光変調素子を用いた露光装置であってよい。
【００４９】
また、上記実施形態においては、ステージ１１が可動することで、主走査及び副走査を行うものであった。しかし、本発明はこれに限定されず、露光ヘッドが動くタイプ、主走査は露光ヘッドが動き、副走査はステージが動くタイプ、主走査はステージが動き、副走査は露光ヘッドが動くタイプでもよい。
【００５０】
また、上記実施形態においては、露光ヘッドが隣の主走査に移る場合、原点復帰して、同じ方向に主走査するものであった。しかし、本発明はこれに限定されず、例えば、主走査方向が交互に切り替わるようにしてもよい。
【００５１】
このように、本発明においては、露光装置及び被露光体は、これまでに開示したものに限らず、公知の構成のものすべてが対象となる。
【符号の説明】
【００５２】
１…露光装置、１０…露光ヘッド、１１…ステージ、１２…基板（被露光材）、２０−１〜２３−１…他方の第１〜第４露光、２０−２〜２３−２…一方の第１〜第４露光、２４…露光、３０−１〜３３−１…他方の第１〜第４検査用パターン、３０−２〜３３−２…一方の第１〜第４検査用パターン、３２ａ，３３ａ…検査用パターンの対向辺、３４…スケールパターン、Ｇ１…隙間の一端側の隙間量、Ｇ２…隙間の他端側の隙間量
【図１】
2020160401.tif 000003
【図２】
2020160401.tif 000004
【図３】
2020160401.tif 000005
【図４】
2020160401.tif 000006
【図５】
2020160401.tif 000007
【図６】
2020160401.tif 000008
【図７】
2020160401.tif 000009
【図８】
2020160401.tif 000010
【図９】
2020160401.tif 000011
【図１０】
2020160401.tif 000012
【図１１】
2020160401.tif 000013
【図１２】
2020160401.tif 000014
【図１３】
2020160401.tif 000015
【図１４】
2020160401.tif 000016